(57)【要約】【課題】  熟練技術を有する技工工程を削減し、歯科医内において、型取り作業から最終調整まで行うことが可能な、下顎位矯正訓練具を提供する。【解決手段】  口腔内部に装着され、下顎位を矯正する下顎位矯正訓練具であって、可撓性を有する合成樹脂からなり、上歯列、及び下歯列に嵌合しうる歯列嵌合部と、上記歯列嵌合部に延設されると共に、下方に向かって膨出して形成にされた舌位置矯正部とを有するマウスピース部と、上記マウスピース部の歯列嵌合部に装着され、６０℃〜８５℃で可塑化する熱可塑性合成樹脂からなる共に、上下歯列による咬み合わせによって矯正型に形成される型形成プレート部とを備えた構成とする。【選択図】図３
0003164673.tif 000002
【実用新案登録請求の範囲】
【請求項１】
口腔内部に装着され、下顎位を矯正する下顎位矯正訓練具であって、
可撓性を有する合成樹脂からなり、上歯列、及び下歯列に嵌合しうる歯列嵌合部と、上記歯列嵌合部に延設されると共に、下方に向かって膨出して形成にされた舌位置矯正部とを有するマウスピース部と、
上記マウスピース部の歯列嵌合部に装着され、６０℃〜８５℃で可塑化する熱可塑性合成樹脂からなる共に、上下歯列による咬み合わせによって矯正型に形成される型形成プレート部とを備えることを特徴とする下顎位矯正訓練具。
【請求項２】
上記マウスピース部の上記歯列嵌合部は、上歯列の下端部が近接しうる平面Ｕ字形の上歯列近接面部と、上記上歯列近接面部から上方に延設され、上記上歯列と上唇部裏面側との間に配置される上顎側延設部と、上記上歯列近接面部の裏面側には、下歯列の上端部が近接しうる平面Ｕ字形の下歯列近接面部と、上記下歯列近接面部から下方に延設され、上記下歯列と下唇部裏面側との間に配置される下顎側延設部と、上記上歯列近接面部と下歯列近接面部間を貫通する長孔とを備えることを特徴とする請求項１記載の下顎位矯正訓練具。
【請求項３】
上記下顎側延設部の正面部には、下歯列を視認しうる窓部が形成されていることを特徴とする請求項２記載の下顎位矯正訓練具。
【請求項４】
上記歯列嵌合部の上記上歯列近接面部と下歯列近接面部には、上記型成型プレート部を装着するためのプレート装着用孔部が形成され、
上記型形成プレート部は、平面Ｕ字形に形成されると共に、両端部には上記プレート装着用孔部に嵌合しうる装着用突起部が形成され、上記装着用孔部とプレート装着用突起部とを嵌合させることによって上記歯列嵌合部に装着されることを特徴とする請求項１記載の下顎位矯正訓練具。
【請求項５】
上記型形成プレート部は、厚さ寸法が異なる複数種を備え、複数枚を重ねて上記マウスピース部に装着しうることを特徴とする請求項４記載の下顎位矯正訓練具。
【請求項６】
上記型形成プレートにおいて、上記突起部が形成された両端部近傍には、切り離し用溝部が形成されていることを特徴とする請求項４記載の下顎位矯正訓練具。
【考案の詳細な説明】
【技術分野】
【０００１】
本考案は、口腔内部に装着され、下顎位置の矯正訓練を行う為の下顎位矯正訓練具に関する。
【背景技術】
【０００２】
上下の歯列の咬合形態が不正となるいわゆる不正咬合には、歯並びの不正に起因する所謂歯槽性のもの、上下顎及び不正歯列があるも安静位では垂直的・前後的不正が軽減される所謂機能性のもの、及び安静位でも軽減されることがない、垂直的・前後的不正である所謂骨格性のものがある。
特に骨格性の不正に関しては、従来は外科的治療の対象となっていた。
上記のような咬合不正は、顎関節症、開口障害、嚥下障害、歯周病等の様々な症状を引き起こす要因の一つとなっている。
上記骨格性不正の症例の一つである所謂反対咬合は、咬合時における、上顎に対する下顎の位置関係（咬合位）は、口腔内部における舌の位置、及び上口唇圧の強弱が大きく関連する。
例えば、上記上口唇圧が大きいと上顎部は後方に誘導され、また、舌位が低位置である場合、口が開いたままの状態となり易く、舌によって下顎部が前方に押し出される力が作用する。
従って、上記のような状態が継続した場合、下顎部が上顎部よりも前方に突出（下顎前突）し、上歯列よりも下歯列が前方に位置する不正咬合を引き起こす。
【０００３】
上記骨格性の不正咬合を治療するための器具としては、口腔内部に着脱可能に装着され、上下の歯列を舌側面と咬合面から覆うように形成された、アクチバトールと称されるアクリル樹脂性の矯正具が使用されている。
上記矯正具は、予めバイトワックスと称される、パラフィン等からなる型取り材によって歯型を採取して、採取した歯型を基に歯型模型を制作する。
更に、この歯型模型を基に症例に適用した形態及び構造を設計して製作される。
上記歯型模型は、歯科では制作が困難であり、熟練技術を有する専門の技工士によって制作が行われるため、歯科において歯型を採取してから、矯正具が完成するまでには長期間が必要となると共に、患者毎のオーダーメイドであるため、作業工数が多く、また矯正具製作コストについても大きくなるという不具合を有していた。
また、歯型模型を基に製作されることから、矯正具が完成後に、歯科医において、患者に装着して改めて最終調整を行う必要があるため、調整コストが大きくなるという不具合を有していた。
【考案の概要】
【考案が解決しようとする課題】
【０００４】
本考案の解決する課題は、熟練技術を有する技工工程を削減し、歯科医内において、型取り作業から最終調整まで行うことが可能な、下顎位矯正訓練具を提供することにある。
【課題を解決するための手段】
【０００５】
上記課題を解決するために、請求項１の考案にかかる下顎位矯正訓練具は、口腔内部に装着され、下顎位を矯正する下顎位矯正訓練具であって、可撓性を有する合成樹脂からなり、上歯列、及び下歯列に嵌合しうる歯列嵌合部と、上記歯列嵌合部に延設されると共に、下方に向かって膨出して形成にされた舌位置矯正部とを有するマウスピース部と、上記マウスピース部の歯列嵌合部に装着され、６０℃〜８５℃で可塑化する熱可塑性合成樹脂からなる共に、上下歯列による咬み合わせによって矯正型に形成される型形成プレート部とを備えることを特徴とする。
【０００６】
上記型形成プレートをマウスピース部に装着し、６０℃以上の湯に浸すことによって、上記型形成プレートを軟化させ、マウスピース部を患者の口腔内に装着する。
更に、正しい咬合位置に調整しながら、上記型形成プレートを咬み合せた後、水及びバキュームによる風によって冷却することによって上記型形成プレートを硬化させる。
この際、舌位置矯正部によって、舌が口腔内において後方に押されるため、下歯列を後方に位置させ易い。
その後、型取りされた型形成プレートの微調整を行うことによって、下顎位矯正訓練具が完成する。
以上のように、型取り、模型製作等の作業を別個に行う必要なく、上記の各工程は全て歯科医内で完結する。
【０００７】
また、請求項２の考案に係る下顎位矯正訓練器具は、上記マウスピース部の上記歯列嵌合部は、上歯列の下端部が近接しうる平面Ｕ字形の上歯列近接面部と、上記上歯列近接面部から上方に延設され、上記上歯列と上唇部裏面側との間に配置される上顎側延設部と、上記上歯列近接面部の裏面側には、下歯列の上端部が近接しうる平面Ｕ字形の下歯列近接面部と、上記下歯列近接面部から下方に延設され、上記下歯列と下唇部裏面側との間に配置される下顎側延設部と、上記上歯列近接面部と下歯列近接面部間を貫通する長孔とを備えることを特徴とする。
【０００８】
従って、上歯列の歯茎部と上唇部裏面側との間、及び下歯列の歯茎部と下唇部裏面側との間において、上記上顎側延設部と、下顎側延設部とがより密着して配置され、更に上記長孔が設けられていることから、上歯列の下端部が上記上歯列近接面部よりも下側、及び下歯列の上端部が上記下歯歯列近接面部よりも上側に突出して配置される場合でも、上記長孔を介して、上下歯列が他方に突出して配置されうるため、問題なく型形成を行うことができる。
【０００９】
また、請求項３の考案に係る下顎位矯正訓練器具は、上記下顎側延設部の正面部には、下歯列を視認しうる窓部が形成されていることを特徴とする。
【００１０】
従って、上記窓部を介して、下歯列の位置を確認することができる。
【００１１】
また、請求項４の考案に係る下顎位矯正訓練器具は、上記歯列嵌合部の上記上歯列近接面部と下歯列近接面部には、上記型成型プレート部を装着するためのプレート装着用孔部が形成され、上記型形成プレート部は、平面Ｕ字形に形成されると共に、両端部には上記プレート装着用孔部に嵌合しうる装着用突起部が形成され、上記装着用孔部とプレート装着用突起部とを嵌合させることによって上記歯列嵌合部に装着されることを特徴とする。
【００１２】
従って、上歯列近接面部及び下歯列近接面部に設けられたプレート装着用孔部と上記装着用突起部とが嵌合することによって、上記型形成プレート部が上記マウスピース部の上歯列近接面部及び下歯列近接面部に固定される。
【００１３】
また、請求項５の考案に係る下顎位矯正訓練器具は、上記型形成プレート部は、複数枚を重ねて上記マウスピース部に装着しうることを特徴とする。
【００１４】
従って、患者毎の歯列の高さ位置の差異によって、型形成プレート部の厚さ寸法及び使用枚数を調整する。
【００１５】
また、請求項６の考案に係る下顎位矯正訓練器具は、上記型形成プレートにおいて、上記突起部が形成された両端部近傍には、切り離し用溝部が形成されていることを特徴とする。
【００１６】
従って、患者によって、咬み合わせ時の臼歯部の間隙が大きい場合等は、上記切離し用溝部で上記型形成プレート部の両端部を切り離し、両端部分のみを重ねて使用することによって、臼歯部の間隙を埋めることができる。
【考案の効果】
【００１７】
請求項１の考案にあっては、可撓性を有する合成樹脂からなり、上歯列、及び下歯列に嵌合しうる歯列嵌合部と、上記歯列嵌合部に延設されると共に、下方に向かって膨出して形成にされた舌位置矯正部とを有するマウスピース部と、上記マウスピース部の歯列嵌合部に装着され、６０℃〜８５℃で可塑化する熱可塑性合成樹脂からなる共に、上下歯列による咬み合わせによって矯正型に形成される型形成プレート部とを備えることから、上記型形成プレートをマウスピース部に装着し、６０℃の湯に浸すことによって、上記型形成プレートが軟化させ、マウスピース部を患者の口腔内装着し、咬合位置に調整しながら、上記型形成プレートを咬み合せた後、水及びバキュームによる風によって冷却することによって上記型形成プレートを硬化させることによって、下顎位矯正訓練器具を完成させることができる。
従って、熟練技術を有する技工工程を削減し、歯科医内において、型取り作業から最終調整まで行うことが可能な、下顎位矯正訓練具を提供することができる。
【００１８】
また、請求項２の考案にあっては、上記マウスピース部の上記歯列嵌合部は、上歯列の下端部が近接しうる平面Ｕ字形の上歯列近接面部と、上記上歯列近接面部から上方に延設され、上記上歯列と上唇部裏面側との間に配置される上顎側延設部と、上記上歯列近接面部の裏面側には、下歯列の上端部が近接しうる平面Ｕ字形の下歯列近接面部と、上記下歯列近接面部から下方に延設され、上記下歯列と下唇部裏面側との間に配置される下顎側延設部と、上記上歯列近接面部と下歯列近接面部間を貫通する長孔とを備えることから、上歯列の下端部が上記上歯列近接面部よりも下側、及び下歯列の上端部が上記下歯歯列近接面部よりも上側に突出して配置される場合であっても、問題なく型形成を行うことができるため、より患者の歯列形態に合わせた型形成が可能となる。
【００１９】
また、請求項３の考案にあっては、上記下顎側延設部の正面部には、下歯列を視認しうる窓部が形成されていることから、上記窓部を介して、下歯列の位置を確認できるため、より正確に歯列位置を合わせることができる。
【００２０】
また、請求項４の考案にあっては、上記歯列嵌合部の上記上歯列近接面部と下歯列近接面部には、上記型成型プレート部を装着するためのプレート装着用孔部が形成され、
上記型形成プレート部は、平面Ｕ字形に形成されると共に、両端部には上記プレート装着用孔部に嵌合しうる装着用突起部が形成され、上記装着用孔部とプレート装着用突起部とを嵌合させることによって上記歯列嵌合部に装着されることから、型形成プレート部を簡単に装着することができる。
【００２１】
また、請求項５の考案にあっては、上記型形成プレート部は、厚さ寸法が異なる複数種を備え、複数枚を重ねて上記マウスピース部に装着しうることから、より患者の歯列形態に合わせた型形成が可能となる。
【００２２】
また、請求項６の考案にあっては、上記型形成プレートにおいて、上記突起部が形成された両端部近傍には、切り離し用溝部が形成されていることから、更に患者の歯列形態に合わせた型形成が可能となる。
【図面の簡単な説明】
【００２３】
【図１】本考案の一実施の形態を示し、実施例の形態における下顎位矯正訓練具のマウスピース部の（ａ）は平面図、（ｂ）は斜視図、（ｃ）は側方断面図、（ｄ）は背面図である。
【図２】本考案の一実施の形態を示し、実施の形態における型形成プレート部の（ａ）は薄型の斜視図、（ｂ）は薄型の平面図、（ｃ）は中型斜視図、（ｄ）は中型の平面図、（ｅ）は厚型の斜視図、（ｆ）は厚型の平面図である。
【図３】本実施例の形態において、マウスピース部に型形成プレート部を装着した状態を示す（ａ）は型形成プレート部を一枚装着した状態を示す斜視図、（ｂ）は型形成プレート部を、臼歯当接部分のみ２枚重ねて装着した状態を示す斜視図である。
【図４】本実施例の形態に係る下顎位矯正訓練器具を口腔内に装着した状態を示す、（ａ）は側面図、（ｂ）は正面図である。
【考案を実施するための形態】
【００２４】
本考案の実施するための形態について添付図面を用いて説明する。
図１（ａ）及び（ｂ）に示すように、本考案に係る下顎位矯正訓練器具１０は、可撓性を有する合成樹脂からなり、上歯列１２（以下図１には図示せず）、及び下歯列１３（以下図１には図示せず）に可能に嵌合しうる歯列嵌合部１４と、上記歯列嵌合部１４に延設されると共に、下方に向かって膨出して形成にされた舌位置矯正部１５とを有するマウスピース部１１と、図２（ａ）〜（ｆ）に示すように、上記マウスピース部１１（図２には図示せず）の歯列嵌合部１４に装着され、６０℃〜８５℃で可塑化する熱可塑性合成樹脂からなる共に、上下歯列１２、１３の咬み合わせによって矯正型に形成される型形成プレート部１６とを備えている。
【００２５】
また、図１（ｃ）に示すように上記マウスピース部１１の上記歯列嵌合部１４は、上歯列１２の下端部が近接しうる平面Ｕ字形の上歯列近接面部１７と、上記上歯列近接面部１７から上方に延設され、上記上歯列１２と上唇部裏面側との間に配置される上顎側延設部１８と、上記上歯列近接面部１７の裏面側には、下歯列１３の上端部が近接しうる平面Ｕ字形の下歯列近接面部１９と、上記下歯列近接面部１９から下方に延設され、上記下歯列１３と下唇部２０（以下図１には図示せず）裏面側との間に配置される下顎側延設部２１と、図１（ａ）に示すように、上記上歯列近接面部１７と下歯列近接面部１９間を貫通する長孔２２とを備えている。
【００２６】
また、図１（ｂ）及び（ｄ）に示すように、上記下顎側延設部２１の正面部には、下歯列１３を視認しうる窓部２３が形成されている。
【００２７】
また、図１（ａ）に示すように、上記歯列嵌合部１４の上記上歯列近接面部１７と下歯列近接面部１９には、上記型成型プレート部１６を装着するためのプレート装着用孔部２４，２４が形成され、図２（ａ）〜（ｆ）に示すように、上記型形成プレート部１６は、平面Ｕ字形に形成されると共に、両端部には上記プレート装着用孔部２４，２４に嵌合しうる装着用突起部２５，２５が形成され、上記装着用孔部２４，２４とプレート装着用突起部２５，２５とを嵌合させることによって上記歯列嵌合部１４に装着される。
また、図２（ａ）〜（ｆ）に示すように、上記型形成プレート部１６は、厚さ寸法が夫々異なる、薄型型形成プレート部１６ａ、中型型形成プレート部１６ｂ、厚型型形成プレート部１６ｃが存在する。
また、図２（ｃ）及び（ｅ）に示す厚さが異なる２種の型形成プレート部１６ｂ、１６ｃについては相互に重ねて、上記マウスピース部１１に装着することができる。
また、図２（ｃ）〜（ｅ）に示すように、上記型形成プレート１６ｂ、１６ｃにおいて、上記プレート装着用突起部２５、２５が形成された両端部近傍には、切り離し用溝部２６、２６が形成されている。
【実施例１】
【００２８】
以下に、図面を用いて本実施例について詳細を説明する。
図１は、実施例の形態における下顎位矯正訓練具のマウスピース部の（ａ）は平面図、（ｂ）は斜視図、（ｃ）は側方断面図、（ｄ）は背面図を夫々示している。
図１に示すように、本実施例に係るマウスピース部１１は、酢酸ビニル樹脂から形成され、上記上顎側延設部１８の正面部には、上唇小帯にマウスピース部１１が当たることを防止するため、Ｖ字上の切り込み部２７が形成されている。
【００２９】
また、図１（ａ）、（ｂ）に示すように、上記舌位置矯正部１５は、上記上歯列近接面部１７から下方に膨出して延設され、図１（ａ）に示すように舌下小帯を保護するため、前方に突出する断面Ｕ字形のアンダーカット部２８が形成されている。
上記マウスピース部１１を口腔内に装着した場合、舌は上記舌位置矯正部１５の上側に位置し、後方に押されることによって、下顎位置も後方に移動する。
【００３０】
また、図１（ａ）に示すように、型形成プレート部１６（図１には図示せず）を装着するための装着用孔部２４は、図２（ａ）〜(ｆ)に示す、薄型型形成プレート部１６ａ、中型型形成プレート部１６ｂ、厚型型形成プレート部１６ｃ上記歯列嵌合部１４の突起部の位置に対応し、上記歯列嵌合部１４の両端部に夫々３箇所ずつ設けられている。
【００３１】
また、図１（ｂ）、（ｄ）に示すように、上記下顎側延設部２１の上記窓部２３は略長方形に形成され、下顎位矯正訓練器具１０を装着した場合には、図４（ｂ）に示すように、下歯列１３の２本の中切歯が視認できる大きさに形成されている。
【００３２】
また、図２は本実施例の型形成プレート部の（ａ）は薄型の斜視図、（ｂ）は薄型の平面図、（ｃ）は中型斜視図、（ｄ）は中型の平面図、（ｅ）は厚型の斜視図、（ｆ）は厚型の平面図を夫々示している。
図２に示すように、本実施例に係る型形成プレート部１６は薄型、中型、厚型の３種類の厚さ寸法を有し、６０℃から８５℃程度の温度においても、容易に軟化しうる、所謂ハイドロプラスチックから形成されている。
なお、通常の使用方法においては、図２（ａ）、（ｂ）に示す薄型の型形成プレート部１６ａは下歯列近接面部１９に装着されると共に、図２（ｃ）〜（ｆ）に示す中型及び厚型の型形成プレート部１６ｂ、１６ｃは、上歯列近接面部１７に装着されるが、患者の歯列形態、及び不正咬合の症例によって上下を逆にすることもできる。
【００３３】
また、図２（ｃ）、（ｄ）に示す中型の型形成プレート部１６ｂの両端部には、図２（ｅ）、（ｆ）に示す、厚型の型形成プレート１６ｃを重ねて装着する場合に、上記厚型の型形成プレート部１６ｃのプレート装着用突起部２５が嵌合する孔部２９、２９が設けられている。
【００３４】
上記構成における本実施例の作用について添付図面を用いて説明する。
図３（ａ）は、マウスピース部１１に型形成プレート１６ｂを装着した状態、（ｂ）は、（ａ）の状態から、中型の型形成プレート１６ｂの両端部の臼歯当接部３０、３０のみを、切り離し用溝部２６、２６で切り離して、上記型形成プレート１６ｂの両端部に重ねて装着した状態を示す斜視図である。
なお、図３中では視認されないが、薄型の型形成プレート１６ａは下歯列近接面部１９側に装着されている。
【００３５】
本実施例に係る下顎位矯正訓練器具１０を調整する手順を以下に示す。
まず、スムーズな型調整を可能とするために、患者の矯正顎位については、予め適正位置を調査し、この際、患者の臼歯部分の間隙についても測定して、図３（ａ）若しくは（ｂ）の何れの形態に型形成プレート部１６をマウスピース部１１に装着するかを決定する。
【００３６】
図３（ａ）または（ｂ）の形態に型形成プレート１６を装着後、そのままの状態で、６０℃以上の熱湯に所定時間漬すことによって、型形成プレート部１６は軟化する。
【００３７】
軟化した上記型形成プレート１６を、口腔内において火傷を生じない程度まで冷却した後、図４（ａ）に示すように、マウスピース部１１を口腔内に挿入し、上歯列１２及び下歯列１３を歯列嵌合部１４に嵌合させ、予め調整した下顎位置に合わせて、上下歯列１２、１３を咬合する。
この際、図４（ｂ）に示すように、下側歯列１３の咬合位置が左右方向にずれていないかを、上記下顎側延設部２１の正面部の窓部２３から視認して確認し、ずれが生じている場合には、微調整を行う。
【００３８】
顎位置及び咬合位置を決定した後は、患者の上下歯列を静止状態に保持させ、冷却水若しくはバキューム装置の風を上記型形成プレート部１６に当てることによって、上記型形成プレート部１６を冷却する。
【００３９】
上記型形成プレート部１６が冷却された後に、マウスピース部１１を口腔内から取り出し、上記型形成プレート部１６のうち、型取り後にはみ出した、及び強く歯列に当たり過ぎている部位等を切削、若しくは研磨によって取り除いて微調整を行う。
【００４０】
以上の手順によれば、下顎位矯正訓練器具１０の製造及び調整作業を、全て歯科医によって行うことが可能であり、調整後の下顎位矯正訓練器具１０を、その日のうちに患者に受け渡すことができると共に、従来熟練技術が必要であった、模型作成等の作業が不要となるため、製造及び調整コストを大幅に軽減することができる。
【００４１】
なお、マウスピース部、及び型形成プレート部については、患者の年齢等に夜歯列形状の差異に応じ、複数の大きさ寸法のバリエーションを準備することができる。
【００４２】
また、上記バリエーションにおいては、マウスピース部の上顎側延設部、下顎側延設部、舌位置矯正部、切り込み部、アンダーカット部等の各構成部の形状を適宜変更することができる。
【００４３】
また、マウスピース部の素材については、人体への安全性が確保可能であり、所定の可撓性を有していれば、適宜他の素材を選択することもできる。
【産業上の利用可能性】
【００４４】
本考案は、口腔内部に装着され、下顎位置の矯正訓練を行う為の下顎位矯正訓練具に適用可能である。
【符号の説明】
【００４５】
１０  下顎位矯正訓練器具  
１１  マウスピース部
１２  上歯列
１３  下歯列
１４  歯列嵌合部
１５  舌位置矯正部
１６  型形成プレート部
１６ａ型形成プレート部（薄型）
１６ｂ型形成プレート部（中型）
１６ｃ型形成プレート部（厚型）
１７  上歯列近接面部
１８  上顎側延設部
１９  下歯列近接面部
２０  下唇部
２１  下顎側延設部
２２  長孔
２３  窓部
２４  プレート装着用孔部
２５  装着用突起部
２６  切り離し用溝部
２７  切込み部
２８  アンダーカット部
２９  孔部
３０  臼歯当接部
【図１】
0003164673.tif 000003
【図２】
0003164673.tif 000004
【図３】
0003164673.tif 000005
【図４】
0003164673.tif 000006